(57)【要約】【課題】ケースを薄型化できる血圧測定装置を提供すること。【解決手段】血圧測定装置１は、ケース１１と、ベルト４と、カフ構造体６と、ケース１１内に収容される、ポンプ１４、電力供給部１８及び流路部１５と、電力供給部１８のポンプ１４に対向する面１８ａの縁部に設けられる両面テープ３８と、流路部１５に設けられ、ケース１１内の、外郭ケース３１の軸方向に直交する方向でポンプ１４及び電力供給部１８と離れた位置に配置される開閉弁１６と、外郭ケース３１に形成され、外郭ケース３１の内面に配置される第１開口端３１ｄが、ポンプ１４及び電力供給部１８の間の隙間Ｓと、外郭ケース３１の軸方向で同位置に配置される孔３１ｃと、を備える。【選択図】      図１０
2020103637.tif 000002
【特許請求の範囲】
【請求項１】
手首に取り付けられる血圧測定装置であって、
外周面の周方向で対称位置にそれぞれ設けられた一対のラグを有し、筒状に構成される外郭ケース、及び前記外郭ケースの一端を覆う風防を含むケースと、
一方の前記一対のラグにばね棒を介して設けられる第１ベルト、及び他方の前記一対のラグにばね棒を介して設けられる第２ベルトを含むベルトと、
前記外郭ケース内の、一方の前記一対のラグから他方の前記一対のラグへ向かう第１方向に直交し、かつ前記外郭ケースの軸方向に直交する第２方向で前記外郭ケースの中心よりも一方側に寄った位置に設けられ、流体により膨張するカフに前記流体を供給する流路に設けられた複数の弁と、
前記外郭ケース内の、前記第２方向で前記弁に対して前記外郭ケースの中心側であって、かつ、前記第１方向で前記外郭ケースの中心より一方側に設けられるポンプと、
前記外郭ケース内に収容され、前記外郭ケースの軸方向で前記ポンプの前記風防側に配置され、前記ポンプに対向する電力供給部と、
を具備する血圧測定装置。
【請求項２】
前記ポンプ及び前記電力供給部は、隙間を開けて配置され、
前記ポンプは、前記ポンプの前記電力供給部に対向する面に、吸気孔が配置され、
前記外郭ケースの前記一対のラグ間にそれぞれ形成され、前記外郭ケースを貫通し、前記外郭ケースの内周面に配置される開口端が前記隙間と前記第１方向で対向する位置に配置される孔部を具備する、
請求項１に記載の血圧測定装置。
【請求項３】
前記電力供給部及び前記ポンプに対向する面間に設けられ、前記ポンプの前記第２方向の両端の縁部で、前記電力供給部及び前記ポンプを固定する両面テープを具備する、請求項１に記載の血圧測定装置。
【請求項４】
前記電力供給部は、一方向に長い形状に構成され、長手方向が前記第１方向に沿う姿勢で、前記電力供給部の前記長手方向の一方側が、前記ポンプに対向して配置される、請求項２に記載の血圧測定装置。
【請求項５】
前記吸気孔は、少なくとも、前記ポンプの前記電力供給部に対向する面の、前記第１方向で前記孔部側であって、かつ、前記第２方向の両端側にそれぞれ配置される、請求項４に記載の血圧測定装置。
【請求項６】
前記孔部は、直線状に延び、前記外郭ケースの外周面に配置される一方の開口端が、前記手首側に配置され、前記外郭ケースの内周面に配置される他方の開口端が、前記一方の開口端よりも前記風防側に配置される、請求項２に記載の血圧測定装置。
【請求項７】
前記一方の前記一対のラグ間に形成される前記孔部の前記外郭ケースの外周面に配置される開口端は、前記第１ベルトにより覆われ、
前記他方の前記一対のラグ間に形成される前記孔部の前記外郭ケースの外周面に配置される開口端は、前記第２ベルトにより覆われる
請求項２に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。
【０００３】
このような血圧測定装置として、カフとカフに流体を供給する装置本体とが一体に構成された所謂一体型呼ばれるものが知られている。さらに、一体型の血圧測定装置では、手首に装着するウェアラブルデバイスも考えられている。
【０００４】
このような血圧測定装置の装置本体は、ケースと、ケース内に収容され、カフに流体を供給するポンプと、ケース内に収容され、ポンプに電力を供給する電池と、を備える。ポンプ及び電池は、ケース内で、ケースの軸方向に直交する方向で離れた位置に配される構成が知られている（例えば、特許文献１参照。）。
【先行技術文献】
【特許文献】
【０００５】
【特許文献１】特開２０１８−０００６９２号公報
【発明の概要】
【発明が解決しようとする課題】
【０００６】
上述した血圧測定装置は、複数のカフを有する構成が考えられる。複数のカフを有する構成では、ポンプ及び複数のカフ接続する流路に弁を設け、この弁を開閉することで、ポンプから複数のカフのそれぞれへつながる流路を選択的に開閉する。弁をケース内に配置する構成の場合は、ケース内に弁の配置スペースを確保することから、ケースが大型化する。特に、弁を、電池またはポンプと、ケースの軸方向に並ぶ位置に配置すると、ケースが軸方向に厚くなる。
【０００７】
そこで本発明は、ケースを薄型化できる血圧測定装置を提供することを目的とする。
【課題を解決するための手段】
【０００８】
一態様によれば、手首に取り付けられる血圧測定装置であって、外周面の周方向で対称位置にそれぞれ設けられた一対のラグを有し、筒状に構成される外郭ケース、及び前記外郭ケースの一端を覆う風防を含むケースと、一方の前記一対のラグにばね棒を介して設けられる第１ベルト、及び他方の前記一対のラグにばね棒を介して設けられる第２ベルトを含むベルトと、前記外郭ケース内の、一方の前記一対のラグから他方の前記一対のラグへ向かう第１方向に直交し、かつ前記外郭ケースの軸方向に直交する第２方向で前記外郭ケースの中心よりも一方側に寄った位置に設けられ、流体により膨張するカフに前記流体を供給する流路に設けられた複数の弁と、前記外郭ケース内の、前記第２方向で前記弁に対して前記外郭ケースの中心側であって、かつ、前記第１方向で前記外郭ケースの中心より一方側に設けられるポンプと、前記外郭ケース内に収容され、前記外郭ケースの軸方向で前記ポンプの前記風防側に配置され、前記ポンプに対向する電力供給部と、を備える、血圧測定装置が提供される。
【０００９】
ここで、流体とは、液体及び空気を含む。カフとは、血圧を測定するときに生体の上腕や手首等に巻き付けられ、流体が供給されることで膨張するものであり、空気袋等の袋状構造体を含む。
【００１０】
この態様によれば、外郭ケース内の、ポンプ及び電力供給部が配置される領域と、弁が配置される領域と、は、外郭ケースの軸方向に直交する方向で離れる。この為、弁が、外郭ケースの軸方向に、ポンプ及び電力供給部に重ならないので、血圧測定装置を、外郭ケースの軸方向で薄型化することが可能となる。
【００１１】
上記一態様の血圧測定装置において、前記ポンプ及び前記電力供給部は、隙間を開けて配置され、前記ポンプは、前記ポンプの前記電力供給部に対向する面に、吸気孔が配置され、前記外郭ケースの前記一対のラグ間にそれぞれ形成され、前記外郭ケースを貫通し、前記外郭ケースの内周面に配置される開口端が前記隙間と前記第１方向で対向する位置に配置される孔部を備える、血圧測定装置が提供される。
【００１２】
この態様によれば、ポンプ及び電力供給部間の隙間により、ポンプの熱が電力供給部に伝わることを抑制できる。さらに、外郭ケースの内周面に配置される開口端が、ポンプ及び電力供給部間の隙間に第１方向に対向することから、開口端を通ってケース内に流入した空気が、吸込孔にスムーズに導かれる。さらに、開口端を通ってケース内に流入した空気がポンプ表面に当たることで、ポンプを冷却することも可能となる。
【００１３】
上記一態様の血圧測定装置において、前記電力供給部及び前記ポンプに対向する面間に設けられ、前記ポンプの前記第２方向の両端の縁部で、前記電力供給部及び前記ポンプを固定する両面テープを備える、血圧測定装置が提供される。
【００１４】
この態様によれば、両面テープの厚みを利用して、ポンプ及び電力供給部間の隙間を設けることが可能となるので、別途、ポンプ及び電力供給部間に隙間を設ける構造を要しない。さらに、両面テープが、ポンプの第２方向の両端縁に設けられることで、両面テープが隙間に流入する空気の流れを阻害することを抑制できる。
【００１５】
上記一態様の血圧測定装置において、前記電力供給部は、一方向に長い形状に構成され、長手方向が前記第１方向に沿う姿勢で、前記電力供給部の前記長手方向の一方側が、前記ポンプに対向して配置される、血圧測定装置が提供される。
【００１６】
この態様によれば、電力供給部が、劣化により膨張することで、電力供給部のポンプに対向する面の中央がポンプ側に盛り上がると、ポンプ及び電力供給部の、孔部の開口端側の一端間の隙間が、大きくなる。このように、ポンプ及び電力供給部の、孔部の開口端側の一端間の隙間が大きくなることで、ポンプ及び電力供給部の対向面に空気をより多くあてることが可能となるのでポンプ及び電力供給部の冷却効率を向上できる。結果、冷却効率を向上できることで、電力供給部の劣化を抑制できる。さらに、隙間に空気がより多く流入可能となることで、ケース外から孔部を通ってポンプの吸込孔までの空気の流路の流路抵抗を小さくできる。
【００１７】
上記一態様の血圧測定装置において、前記吸気孔は、少なくとも、前記ポンプの前記電力供給部に対向する面の、前記第１方向で前記孔部側であって、かつ、前記第２方向の両端側にそれぞれ配置される、血圧測定装置が提供される。
【００１８】
この態様によれば、電力供給部が劣化等により膨張し、電力供給部のポンプに対向する面の中央がポンプ側に盛り上がっても、ポンプの吸気孔が電力供給部により塞がれることを抑制できる。
【００１９】
上記一態様の血圧測定装置において、前記孔部は、直線状に延び、前記外郭ケースの外周面に配置される一方の開口端が、前記手首側に配置され、前記外郭ケースの内周面に配置される他方の開口端が、前記一方の開口端よりも前記風防側に配置される、血圧測定装置が提供される。
【００２０】
この態様によれば、ケース外から孔部を通り、ポンプの吸込孔まで至る、空気が流れる流路が、大きく屈曲することを抑制できるので、ケース外からポンプまでの空気が流れる流路の流路抵抗を小さくすることが可能となる。
【００２１】
上記一態様の血圧測定装置において、前記一方の前記一対のラグ間に形成される前記孔部の前記外郭ケースの外周面に配置される開口端は、前記第１ベルトにより覆われ、前記他方の前記一対のラグ間に形成される前記孔部の前記外郭ケースの外周面に配置される開口端は、前記第２ベルトにより覆われる、血圧測定装置が提供される。
【００２２】
この態様によれば、孔部を各ベルトにより覆うことで孔部が外部に露出することを抑制できる。
【発明の効果】
【００２３】
本発明は、ケースを薄型化できる血圧測定装置を提供することができる。
【図面の簡単な説明】
【００２４】
【図１】本発明の一実施形態に係る血圧測定装置の構成を示す斜視図。
【図２】同血圧測定装置の構成を分解して示す斜視図。
【図３】同血圧測定装置の構成を示す側面図。
【図４】同血圧測定装置を手首に装着した状態を示す説明図。
【図５】同血圧測定装置の構成を示すブロック図。
【図６】同血圧測定装置の構成を示す斜視図。
【図７】同血圧測定装置の外郭ケースの構成を示す斜視図。
【図８】同血圧測定装置の構成を示す斜視図。
【図９】同血圧測定装置の構成を一部分解して示す斜視図。
【図１０】同血圧測定装置の構成を示す平面図。
【図１１】同外郭ケースの構成を示す断面図。
【図１２】同血圧測定装置の構成を示す断面図。
【図１３】同血圧測定装置の開閉弁及び圧力センサの構成を示す斜視図。
【図１４】同血圧測定装置の同開閉弁及び同圧力センサの構成を示す平面図。
【図１５】同血圧測定装置のカーラ及びカフ構造体の構成を分解して示す斜視図。
【図１６】同血圧測定装置のカーラ及びカフ構造体の構成を示す断面図。
【図１７】同血圧測定装置のカーラ及びカフ構造体の構成を示す断面図。
【図１８】同血圧測定装置の甲カフの構成を示す断面図。
【図１９】同血圧測定装置の甲カフの構成を示す断面図。
【図２０】同血圧測定装置のカーラの構成を示す斜視図。
【図２１】同血圧測定装置のカフ構造体の構成を示す平面図。
【図２２】同カフ構造体の構成を示す平面図。
【図２３】同血圧測定装置の押圧カフの構成を示す平面図。
【図２４】同押圧カフの構成を示す断面図。
【図２５】同血圧測定装置のセンシングカフの構成を示す平面図。
【図２６】同血圧測定装置のセンシングカフの構成を示す断面図。
【図２７】同血圧測定装置の使用の一例を示す流れ図。
【図２８】同血圧測定装置を手首に装着する一例を示す斜視図。
【図２９】同血圧測定装置を手首に装着する一例を示す斜視図。
【図３０】同血圧測定装置を手首に装着する一例を示す斜視図。
【図３１】同血圧測定装置が手首に取り付けられた状態を模式的に示す断面図。
【発明を実施するための形態】
【００２５】
以下、本発明の一実施形態に係る血圧測定装置１の一例について、図１乃至図３１を用いて以下例示する。
【００２６】
図１は、本発明の一実施形態に係る血圧測定装置１の構成を示す斜視図である。図２は、血圧測定装置１の構成を分解して示す斜視図である。図３は、血圧測定装置１の構成を示す側面図である。図４は、血圧測定装置１を手首２００に装着した状態を示す説明図である。図５は、血圧測定装置１の構成を示すブロック図である。図６は、血圧測定装置１の構成を示す斜視図である。図７は、血圧測定装置１の外郭ケース３１の構成を示す斜視図である。
【００２７】
図８は、血圧測定装置１の構成を一部省略して示す斜視図であり、具体的には、血圧測定装置１のケース１１内の構成を示す斜視図である。図９は、血圧測定装置１の構成を一部分解して示す斜視図であり、具体的には、電力供給部１８が分解された状態を示す斜視図である。図１０は、血圧測定装置１の構成を一部省略して示す平面図であり、具体的には、血圧測定装置１のケース１１内の構成を示す平面図である。図１１は、外郭ケース３１の、孔３１ｃ及びその近傍の構成を示す断面図である。
【００２８】
図１２は、血圧測定装置１の構成を示す断面図であり、具体的には、ポンプ１４及び電力供給部１８、及びその近傍の構成を示す断面図である。図１３は、開閉弁１６及び圧力センサ１７の構成を示す斜視図である。図１４は、開閉弁１６及び圧力センサ１７の構成を、手首２００側から見た状態を示す平面図である。
【００２９】
図１５は、血圧測定装置１のカーラ５及びカフ構造体６の構成を示す分解して示す斜視図である。図１６は、血圧測定装置１のカーラ５及びカフ構造体６の構成を示す断面図である。図１７は、血圧測定装置１のカーラ５及びカフ構造体６の構成を示す断面図である。
【００３０】
図１８は、血圧測定装置１の引張カフ７４の構成を示す断面図である。図１９は、血圧測定装置１の引張カフ７４の構成を示す断面図である。図２０は、血圧測定装置１のカーラ５の構成を示す斜視図である。図２１は、血圧測定装置１のカフ構造体６の手首２００側の構成示す平面図である。図２２は、カフ構造体６をカーラ５の内周面側から見た状態を示す平面図である。図２３は、血圧測定装置１の押圧カフ７１の構成を示す平面図である。図２４は、押圧カフ７１の構成を示す図２３中ＸＸＩＶ−ＸＸＩＶ線断面で示す断面図である。
【００３１】
図２５は、血圧測定装置１のセンシングカフ７３の構成を示す平面図である。図２６は、血圧測定装置１のセンシングカフ７３の構成を示す図２５中ＸＸＶＩ−ＸＸＶＩ線断面で示す断面図である。図２７は、血圧測定装置１の使用の一例を示す流れ図である。図２８は、血圧測定装置１を手首２００に装着する一例を示す斜視図である。図２９は、血圧測定装置１を手首２００に装着する一例を示す斜視図である。図３０は、血圧測定装置１を手首２００に装着する一例を示す斜視図である。図３１は、血圧測定装置１が手首２００に取り付けられた状態を模式的に示す断面図である。
【００３２】
血圧測定装置１は、生体に装着する電子血圧測定装置である。本実施形態においては、生体の手首２００に装着するウェアラブルデバイスの態様をもつ電子血圧測定装置を用いて説明する。
【００３３】
図１乃至図６に示すように、血圧測定装置１は、装置本体３と、手首２００に装置本体３を固定するベルト４と、ベルト４及び手首２００の間に配置されるカーラ５と、押圧カフ７１、センシングカフ７３及び引張カフ７４を有するカフ構造体６と、装置本体３及びカフ構造体６を流体的に接続する流体回路７と、カーラ５に設けられた給電部８と、を備えている。
【００３４】
図１乃至図５に示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００３５】
図１乃至図６に示すように、ケース１１は、外郭ケース３１と、外郭ケース３１の手首２００側とは反対側（外方側）の開口を覆う風防３２と、外郭ケース３１の内部の手首２００側に設けられた基部３３と、外郭ケース３１の手首２００側を覆う裏カバー３５と、裏カバー３５の下面に設けられるシール部材３６と、フィルタ３７と、を備えている。
【００３６】
図６に示すように、外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。また、図７及び図１１に示すように、外郭ケース３１の外周面の一対のラグ３１ａの間の、裏カバー３５側の端部は、面取りがされており、外郭ケース３１の中心線に対して傾斜する面に構成される。外周面３１ｆの、この面取りされた部分を、面取り部３１ｈとする。
【００３７】
面取り部３１ｈは、図７及び図１１に示すように、ベルト４が装着された状態では、ベルト４のケース１１側の一端により覆われることで、外部に露出することを抑制される。面取り部３１ｈは、ベルト４の外郭ケース３１側の一端との間に、所定の隙間を有する例えば曲面に構成される。
【００３８】
外郭ケース３１は、外郭ケース３１の内部及び外部を連続する孔３１ｃを有する。孔３１ｃは、一方の一対のラグ３１ａ間、及び他方の一対のラグ３１ａに形成される。孔３１ｃは、外郭ケース３１を厚み方向に貫通する。孔３１ｃは、一対のラグ３１ａ間に、例えば複数、具体例として２つ形成される。これら２つの孔３１ｃは、外郭ケース３１の周方向に並んで配置される。
【００３９】
図１１に示すように、孔３１ｃは、直線状に延びる。孔３１ｃの外郭ケース３１の内面に配置される第１開口端３１ｄは、外郭ケース３１の外面に配置される。第１開口端３１ｄは、外郭ケース３１の内周面の、周方向で一対のラグ３１ａの間の部分に配置される。第１開口端３１ｄは、外郭ケース３１の軸方向Ｄで、第２開口端３１ｅに対して風防３２側に配置される。
【００４０】
孔３１ｃの外郭ケース３１の外面に配置される第２開口端３１ｅは、外郭ケース３１の外周面３１ｆの、周方向で一対のラグ３１ａの間の部分であって、外郭ケース３１の軸方向Ｄで、手首２００側、換言すると裏カバー３５側に位置する。
【００４１】
本実施形態では、第２開口端３１ｅは、一例として、外郭ケース３１の外周面３１ｆの面取り部３１ｈに配置される。一方の一対のラグ３１ａ間に形成される孔３１ｃの第２開口端３１ｅは、ベルト４の後述する第１ベルト６１に対向し、第１ベルト６１に覆われる。他方の一対のラグ３１ａ間に形成される孔３１ｃの第２開口端３１ｅは、ベルト４の後述する第２ベルト６２に対向し、第２ベルト６２に覆われる。
【００４２】
このように構成された孔３１ｃは、当該孔３１ｃの延びる方向が、例えば外郭ケース３１の中心線に対して傾斜する形状に構成される。孔３１ｃの延びる方向は、外郭ケース３１の中心線に対して、例えば、４５度傾斜する方向に設定される。
【００４３】
風防３２は、例えば、円形状のガラス板である。
【００４４】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。
【００４５】
裏カバー３５は、中央側が開口する環状に構成される。裏カバー３５は、外郭ケース３１の手首２００側の端部の外周縁側を覆う。このような裏カバー３５は、カーラ５と一体に組み合わされることで、中央の開口がカーラ５により覆われ、そしてカーラ５とともに外郭ケース３１の手首２００側の端部を覆う裏蓋を構成する。具体的には、裏カバー３５は、４つの第１締結部材３５ａによってカーラ５に固定されるとともに、４つの第２締結部材３５ｂによって外郭ケース３１の手首２００側の端部に固定される。裏カバー３５は、底部に設けられ、カーラ５に固定される第１締結部材３５ａを挿通する４つの孔部３５ｃと、外周部の４箇所が径方向に突出し、この突出した部位に設けられた外郭ケース３１に固定される第２締結部材３５ｂを挿通する４つの孔部３５ｄと、を有する。
【００４６】
第１締結部材３５ａ及び第２締結部材３５ｂは、螺子、ボルト、ビス、リベット等の二つの部品を機械的に締結する部材である。本実施形態において、第１締結部材３５ａ及び第２締結部材３５ｂは、ネジである。
【００４７】
シール部材３６は、裏カバー３５のカーラ５と接触する領域の形状に形成された、例えば両面テープである。シール部材３６は、カーラ５及び裏カバー３５の間に存することで、カーラ５及び裏カバー３５間をシールする。
【００４８】
フィルタ３７は、図１１に示すように、孔３１ｃの第１開口端３１ｄに設けられる。フィルタ３７は、第１開口端３１ｄを覆う。フィルタ３７は、空気を通して、水の通過を規制する機能を有する。ここで言う規制とは、水の通過量を制限することを意味する。フィルタ３７は、水の通過を防止する性能を有することが好ましい。
【００４９】
表示部１２は、外郭ケース３１の基部３３上であって、且つ、風防３２の直下に配置される。図５に示すように、表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００５０】
操作部１３は、使用者からの指令を入力可能に構成される。例えば、操作部１３は、図５に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００５１】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００５２】
図９に示すように、ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００５３】
ポンプ１４は、例えば、平面視で矩形状に構成される。ポンプ１４は、ポンプ１４の風防３２側の面１４ｃの一つの辺１４ａ、すなわち端部が、外郭ケース３１の軸方向Ｄに直交する方向で外郭ケース３１の中心側に配置され、風防３２側の面１４ｃの辺１４ａに対向する辺１４ｂ、すなわち他端部が、フィルタ３７側に配置される。辺１４ａは、ポンプ１４の、外郭ケース３１の中心側の端部の一例である。
【００５４】
ポンプ１４の風防３２側の面１４ｃは、図１１に示すように、一方の一対のラグ３１ａから他方の一対のラグ３１ａへ向かう方向で、第１開口端３１ｄと対向する位置に配置される。ポンプ１４は、図９に示すように、吸い込み孔１４ｄを有する。吸い込み孔１４ｄは、面１４ｃに配置される。吸い込み孔１４ｄは、一例として複数設けられ、具体例として３つ設けられる。ここで、３つの吸い込み孔１４ｄを、第１吸い込み孔１４ｄ１、第２吸い込み孔１４ｄ２、及び第３吸い込み孔１４ｄ３とする。
【００５５】
ポンプ１４は、外郭ケース３１内で、外郭ケース３１の軸方向Ｄに直交する方向で開閉弁１６から離れた位置に配置される。さらに、ポンプ１４の外郭ケース３１内の位置について説明する。ここで、一方の一対のラグ３１ａから他方の一対のラグ３１ａへ向かう方向に平行な方向を第１方向と称する。第１方向に直交し、かつ外郭ケース３１の軸方向Ｄに直交する方向を第２方向と称する。ポンプ１４は、第２方向で外郭ケース３１の中心側であって、かつ、第１方向で外郭ケース３１の中心よりも一方側に配置される。ポンプ１４は、具体例として、第１方向でフィルタ３７に対向する位置に配置される。ポンプ１４は、一例として、両面テープで、基部３３に固定される。第１吸い込み孔１４ｄ１は、辺１４ａの近傍で、２方向で中心側に配置される。
【００５６】
第２吸い込み孔１４ｄ２は、第１方向で孔３１ｃの第１開口端３１ｄ側であって、かつ、第２方向で一方側に配置される。第２吸い込み孔１４ｄ２は、風防３２側の面１４ｃの、例えば、辺１４ａ及び辺１４ｂを結ぶ２つの辺１４ｅの一方の近傍で、辺１４ａ及び辺１４ｂの間の中心よりもフィルタ３７側に配置される。
【００５７】
第３吸い込み孔１４ｄ３は、第１方向で孔３１ｃの第１開口端３１ｄ側であって、かつ、第２方向で他方側に配置される。第３吸い込み孔１４ｄ３は、例えば、辺１４ａ及び辺１４ｂを結ぶ２つの辺１４ｅの他方の近傍で、辺１４ａ及び辺１４ｂの間の中心よりもフィルタ３７側に配置される。
【００５８】
流路部１５は、図５に示すように、ポンプ１４から押圧カフ７１及び引張カフ７４へつながる流路、及び、ポンプ１４からセンシングカフ７３へつながる流路を構成する。また、流路部１５は、押圧カフ７１及び引張カフ７４から大気へつながる流路、及び、センシングカフ７３から大気へつながる流路を構成する。流路部１５は、基部３３等に設けられた中空部、溝、流路タンク及びチューブ等により構成された空気の流路である。
【００５９】
開閉弁１６は、流路部１５の一部を開閉する。開閉弁１６は、複数、具体例として、図５に示すように、４つ設けられ、各開閉弁１６の開閉の組み合わせによりポンプ１４から押圧カフ７１及び引張カフ７４へつながる流路、ポンプ１４からセンシングカフ７３へつながる流路、押圧カフ７１及び引張カフ７４から大気へつながる流路、及び、センシングカフ７３から大気へつながる流路を選択的に開閉する。具体例として、４つの開閉弁１６は、第１開閉弁１６Ａ、第２開閉弁１６Ｂ、第３開閉弁１６Ｃ及び第４開閉弁１６Ｄにより構成される。第１開閉弁１６Ａは、ポンプ１４とセンシングカフ７３とを接続する流路を開閉する。第２開閉弁１６Ｂは、ポンプ１４と引張カフ７４とを接続する流路を開閉する。第２開閉弁１６Ｂ及び第３開閉弁１６Ｃは、ポンプ１４と押圧カフ７１とを接続する流路を開閉する。第２開閉弁１６Ｂ、第３開閉弁１６Ｃ及び第４開閉弁１６Ｄは、ポンプ１４及び大気を接続する流路を開閉する。
【００６０】
図８乃至図１０、図１３及び図１４に示すように、第１開閉弁１６Ａ、第２開閉弁１６Ｂ、第３開閉弁１６Ｃ及び第４開閉弁１６Ｄは、ポンプ１４及び電力供給部１８に対して、外郭ケース３１の軸方向Ｄで直交する方向で、離れた位置に配置される。第１開閉弁１６Ａ、第２開閉弁１６Ｂ、第３開閉弁１６Ｃ及び第４開閉弁１６Ｄは、具体例として、外郭ケース３１内で、第２方向で外郭ケース３１の中心より一方側に配置される。
【００６１】
第１開閉弁１６Ａ、第２開閉弁１６Ｂ、第３開閉弁１６Ｃ及び第４開閉弁１６Ｄは、支持板３９に支持される。支持板３９に支持された第１開閉弁１６Ａ、第２開閉弁１６Ｂ、第３開閉弁１６Ｃ及び第４開閉弁１６Ｄは、外郭ケース３１の軸方向Ｄに対して直交する方向で、ポンプ１４及び電力供給部１８に対して離れた位置に配置される。換言すると、第１開閉弁１６Ａ、第２開閉弁１６Ｂ、第３開閉弁１６Ｃ及び第４開閉弁１６Ｄは、外郭ケース３１の軸方向Ｄで、ポンプ１４及び電力供給部１８と重ならない。本実施形態では、一例として、支持板３９も、外郭ケース３１の軸方向Ｄに対して直交する方向で、ポンプ１４及び電力供給部１８と離れた位置に配置される。
【００６２】
第１開閉弁１６Ａ、第２開閉弁１６Ｂ、第３開閉弁１６Ｃ、及び第４開閉弁１６Ｄは、制御基板２０に電気的に接続される。
【００６３】
第１開閉弁１６Ａ、第２開閉弁１６Ｂ、第３開閉弁１６Ｃ及び第４開閉弁１６Ｄは、一例として、支持板３９の裏カバー３５側の面に固定される。第１開閉弁１６Ａ、第２開閉弁１６Ｂ、第３開閉弁１６Ｃ、及び第４開閉弁１６Ｄは、一例として、第２方向で、外郭ケース３１の中心を挟んで釦４１に対して反対側に配置される。
【００６４】
このように構成された第１開閉弁１６Ａ、第２開閉弁１６Ｂ、第３開閉弁１６Ｃ、及び第４開閉弁１６Ｄは、図１０中に点線で示すように、第１方向でポンプ１４側の一端側から他端側へ、第１開閉弁１６Ａ、第２開閉弁１６Ｂ、第３開閉弁１６Ｃ、第４開閉弁１６Ｄの順番で並んで配置される。
【００６５】
圧力センサ１７は、図５に示すように、少なくともセンシングカフ７３の圧力を検出する。圧力センサ１７は、例えば、第１圧力センサ１７Ａ及び第２圧力センサ１７Ｂを備える。圧力センサ１７は、検出した圧力を電気信号に変換し、制御基板２０へ出力する。例えば、第１圧力センサ１７Ａ及び第２圧力センサ１７Ｂは、流路部１５の第１圧力センサ１７Ａ及びセンシングカフ７３を接続する流路に設けられる。この流路は押圧カフ７１、センシングカフ７３及び引張カフ７４とポンプ１４とが、各開閉弁の開閉によって連続することから、これら流路内の圧力がポンプ１４のつながる押圧カフ７１、センシングカフ７３及び引張カフ７４の内部空間の圧力となる。
【００６６】
具体例として圧力センサ１７は、第１開閉弁１６Ａが開であり、そして、第２開閉弁１６Ｂを閉であるときにセンシングカフ７３の圧力、換言すると、ポンプ１４及びセンシングカフ７３を接続する流路部１５の圧力を検出する。また、圧力センサ１７は、第１開閉弁１６Ａ及び第２開閉弁１６Ｂが開であり、そして、第３開閉弁１６Ｃが閉であるときに、センシングカフ７３及び引張カフ７４の圧力、換言すると、ポンプ１４、センシングカフ７３及び引張カフ７４を接続する流路部１５の圧力を検出する。さらに、圧力センサ１７は、第１開閉弁１６Ａ、第２開閉弁１６Ｂ及び第３開閉弁１６Ｃが開であり、そして、第４開閉弁１６Ｄが開又は閉であるときに、押圧カフ７１、センシングカフ７３及び引張カフ７４の圧力、換言すると、ポンプ１４、押圧カフ７１、センシングカフ７３及び引張カフ７４を接続する流路部１５の圧力を検出する。
【００６７】
第１圧力センサ１７Ａ及び第２圧力センサ１７Ｂは、外郭ケース３１の軸方向Ｄに対して直交する方向で、ポンプ１４及び電力供給部１８からは離れた位置に配置される。換言すると、第１圧力センサ１７Ａ及び第２圧力センサ１７Ｂは、外郭ケース３１の軸方向Ｄで、ポンプ１４及び電力供給部１８と重ならない。第１圧力センサ１７Ａ及び第２圧力センサ１７Ｂは、具体例として、図１３に示すように、例えば、支持板３９に支持される。
【００６８】
このように構成された第１圧力センサ１７Ａ、及び第２圧力センサ１７Ｂは、図１０中に点線で示すように、第１方向で、第１開閉弁１６Ａよりもポンプ１４側の一端側に配置される。さらに、第１圧力センサ１７Ａ、及び第２圧力センサ１７Ｂは、第１方向でポンプ１４側の一端側から他端側へ、第１圧力センサ１７Ａ、第２圧力センサ１７Ｂの順番で配置される。
【００６９】
電力供給部１８は、例えば、リチウムイオンバッテリ等の二次電池である。電力供給部１８は、図５に示すように、制御基板２０に電気的に接続される。電力供給部１８は、制御基板２０に電力を供給する。
【００７０】
電力供給部１８は、ポンプ１４の風防３２側の面１８ａに固定される。電力供給部１８は、一方向に長い形状に構成され、一例として、直方体状に構成される。図８及び図９に示すように、電力供給部１８の短手方向の長さは、電力供給部１８がポンプ１４に固定された状態における電力供給部１８の短手方向に沿うポンプ１４の長さと略同じ長さである。換言すると、電力供給部１８の短手方向の幅は、ポンプ１４の第２方向に沿う幅と略同じである。
【００７１】
電力供給部１８は、長手方向が第１方向に沿う姿勢で、長手方向の一方側がポンプ１４に対向して配置される。ここで言う一方側がポンプ１４に対向するとは、ポンプ１４の長手方向の中心が、ポンプ１４のケース１１の中心側の端部となる辺１４ａと、外郭ケース３１の軸方向Ｄで対向すること、および、ポンプ１４のケース１１の中心の近傍が、ポンプ１４のケース１１の中心側の端部となる辺１４ａと対向することを含む。さらに、電力供給部１８は、例えば、電力供給部１８の短手方向の中心が、ポンプ１４の第２方向の中心と対向して配置される。
【００７２】
図９に示すように、電力供給部１８は、ポンプ１４のケース１１の中心側の端部である、風防３２側の面１４ｃの、外郭ケース３１の中心側の辺１４ａ側に、両面テープ３８により固定される。両面テープ３８は、ポンプ１４の面１４ｃの第２方向の両端部のそれぞれに設けられる。なお、一方の両面テープ３８は、ポンプ１４の面１４ｃに配置された第２吸い込み孔１４ｄ２よりも辺１４ａ側に配置される。他方の両面テープ３８は、面１４ｃに配置された第３吸い込み孔１４ｄ３よりも辺１４ａ側に配置される。両面テープ３８は、第１方向に沿う帯状に構成される。
【００７３】
このように構成された電力供給部１８の長手方向の一方側は、外郭ケース３１の軸方向Ｄで、ポンプ１４と対向する。電力供給部１８の長手方向の他方側は、外郭ケース３１の軸方向Ｄで、制御基板２０に対して風防３２側に配置される。電力供給部１８及び制御基板２０を接続する配線は、電力供給部１８の、長手方向で、制御基板２０側の一端に配置される。
【００７４】
図１１に示すように、両面テープ３８は、電力供給部１８及びポンプ１４の間に設けられ、ポンプ１４及び電力供給部１８を固定する。両面テープ３８は、両面テープ３８の厚みに応じた隙間Ｓを、ポンプ１４及び電力供給部１８間に生じさせる。隙間Ｓは、第１方向で、フィルタ３７を介して孔３１ｃの第１開口端３１ｄと対向する。換言すると、隙間Ｓは、外郭ケース３１の軸方向Ｄで、第１開口端３１ｄの一部と同じ高さ位置に存する。
【００７５】
図５に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００７６】
基板５１は、ケース１１の基部３３にビス等によって固定される。
【００７７】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００７８】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００７９】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００８０】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００８１】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００８２】
例えば、制御部５５は、図５に示すように、血圧測定装置１全体の動作を制御するメインＣＰＵ（Central Processing Unit）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００８３】
例えば、サブＣＰＵ５７は、操作部１３から血圧を測定する指令が入力されると、ポンプ１４及び開閉弁１６を駆動して押圧カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を押圧カフ７１及びセンシングカフ７３に選択的に送るとともに、押圧カフ７１及びセンシングカフ７３を選択的に減圧する。
【００８４】
このように構成された制御基板２０は、図９に示すように、外郭ケース３１の軸方向Ｄに直交する方向で、ポンプ１４、第１開閉弁１６Ａ、第２開閉弁１６Ｂ、第３開閉弁１６Ｃ、第４開閉弁１６Ｄ、第１圧力センサ１７Ａ、及び第２圧力センサ１７Ｂに対して離れた位置に配置される。制御基板２０は、具体的には、第１方向で、ポンプ１４に対して離れた位置であって、第２方向で、第１開閉弁１６Ａ、第２開閉弁１６Ｂ、第３開閉弁１６Ｃ、第４開閉弁１６Ｄ、第１圧力センサ１７Ａ、及び第２圧力センサ１７Ｂに対して離れた位置に配置される。制御基板２０は、例えば、粘着テープにより、基部３３に固定される。
【００８５】
図１乃至図４に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００８６】
第１ベルト６１は、所謂親と呼ばれ、第２ベルト６２と連結可能な帯状に構成される。第１ベルト６１は、図１乃至図３に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【００８７】
図４に示すように、第１孔部６１ｃは、ベルト部６１ａの端部に設けられる。第１孔部６１ｃは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ｃが配置されることで、外郭ケース３１に回転可能に保持される。
【００８８】
図１及び図３に示すように、第２孔部６１ｄは、ベルト部６１ａの先端に設けられる。第２孔部６１ｄは、尾錠６１ｂが取り付けられる。  
このように構成されたベルト部６１ａのケース１１側の一端は、外郭ケース３１の面取り部３１ｈに対向する。
【００８９】
図１及び図３に示すように、尾錠６１ｂは、矩形枠状の枠状体６１ｅと、枠状体６１ｅに回転可能に取り付けられたつく棒６１ｆと、を有する。枠状体６１ｅは、つく棒６１ｆが取り付けられた一辺が第２孔部６１ｄに挿入され、ベルト部６１ａに関して回転可能に取り付けられる。
【００９０】
第２ベルト６２は、所謂剣先と呼ばれ、枠状体６１ｅに挿入可能な幅を有する帯状に構成される。第２ベルト６２は、弾性変形可能な樹脂材料で形成される。また、第２ベルト６２は、可撓性を有するとともに、第２ベルト６２の長手方向の伸縮が抑制されるシート状のインサート部材を内部に有する。
【００９１】
また、第２ベルト６２は、図１及び図２に示すように、つく棒６１ｆが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００９２】
このように構成された第２ベルト６２のケース１１側の一端は、外郭ケース３１の面取り部３１ｈに対向する。
【００９３】
このようなベルト４は、第２ベルト６２が枠状体６１ｅに挿入され、小孔６２ａにつく棒６１ｆが挿入されることで、第１ベルト６１及び第２ベルト６２が一体に接続され、外郭ケース３１とともに、手首２００の周方向に倣った環状となる。ベルト４は、手首２００の周方向に倣った環状となることで、カーラ５を押圧し、カーラ５を血圧測定装置１の装着者の手首２００の周方向に倣うように、弾性変形させる。
【００９４】
カーラ５は、図１乃至図４に示すように、手首２００の周方向に倣って湾曲する帯状に構成される。カーラ５は、一端と他端が離間して形成される。カーラ５は、例えば、一端側の外面が装置本体３の裏カバー３５に固定される。カーラ５は、一端及び他端が裏カバー３５よりも手首２００の一方の側方側に突出した位置に配置される。これにより、カーラ５は、血圧測定装置１を手首２００に装着したときに、一端及び他端が手首２００の側方に配置される。また、カーラ５は、所定の距離だけ離間して一端及び他端が隣接する。カーラ５は、例えば、樹脂材料で形成される。具体例として、カーラ５は、ポリプロピレンによって厚さが１ｍｍ程度に形成される。
【００９５】
具体例として、図１乃至図４に示すように、カーラ５は、手首２００の周方向に倣って湾曲する帯状に構成される。また、カーラ５は、一端側の手首２００の手の甲側に対向する位置に設けられ、裏カバー３５とともに裏蓋を構成する円板状のカバー部５ａ、カバー部５ａの周囲に設けられ、及び、外郭ケース３１及び裏カバー３５を固定する第２締結部材３５ｂを移動可能な逃げ部５ｂを有する。カーラ５は、例えば、カバー部５ａ及びその隣接する部位が平板状に形成されるとともに、カバー部５ａよりも一端側及び他端側が所定の曲率で湾曲して形成される。そして、カーラ５は、カバー部５ａから一端までの長さが、カバー部５ａから他端までの長さよりも短く形成される。具体例として、カーラ５は、カバー部５ａから一端までの短手側が、手首２００の手の甲側に配置され、そして、カバー部５ａから他端までの長手側が、手首２００の手の甲側から一方の側方を通って手首２００の手の平側まで延びる。
【００９６】
また、図２０に示すように、カーラ５は、一端及び他端が近接したときに、一端側の内周面側に他端が位置する形状に形成される。具体例として、カーラ５の手首２００の幅方向の幅は、カーラ５の手首２００の手の平側よりもカーラ５の手首２００の手の甲側が大きく設定される。そして、カーラ５は、手首２００の手の甲側の一端の曲率半径が手首２００の手の平側の他端の曲率半径よりも大きく設定される。このような構成により、カーラ５は、カーラ５の両端側が当接すると、一端よりも他端がカーラ５の内方に配置される。また、カーラ５は、カバー部５ａの一部、及び、カバー部５ａから一端側の外面、さらに言えば、カバー部５ａから延びる短手側の外面に、カバー部５ａに隣接して設けられた窪み５ｃが設けられる。
【００９７】
カバー部５ａは、インサートされた補強用のインサート部材５ｄを含む。カバー部５ａは、固定された裏カバー３５を介して外郭ケース３１の手首２００側に固定される。カバー部５ａは、裏カバー３５の４つの孔部３５ｃと対向する位置に設けられ、裏カバー３５を固定する第１締結部材３５ａが螺合される螺子孔５ｅ、及び、カバー部５ａは、カフ構造体６を装置本体３に接続するための３つ孔部５ｆを有する。
【００９８】
逃げ部５ｂは、裏カバー３５側から外郭ケース３１に裏カバー３５を第２締結部材３５ｂにより固定するときに、第２締結部材３５ｂがカーラ５に干渉せずに第１締結部材３５ａを裏カバー３５に配置するため及び第２締結部材３５ｂを回転させる工具を配置するための逃げである。
【００９９】
３つの孔部５ｆは、押圧カフ７１の後述する接続部８４を挿入可能な内径に形成された第１孔部５ｆ１と、センシングカフ７３の後述する接続部９３を挿入可能な内径に形成された第２孔部５ｆ２と、引張カフ７４の後述する接続部１０３を挿入可能な内径に形成された第３孔部５ｆ３と、である。本実施形態において、第２孔部５ｆ２は、第１孔部５ｆ１及び第３孔部５ｆ３よりも、カバー部５ａ内のカーラ５の手の平側の他端側に配置される。
【０１００】
このようなカーラ５は、一端及び他端がベルト４の第２ベルト６２と対向する向きで外郭ケース３１に固定される。また、カーラ５は、少なくとも、手首２００の手の平側と対向する位置が、手首２００の手の平側に沿って周方向に沿って湾曲することで、手首２００の手の平側と対向するカフ構造体６を、手首２００の手の平側の形状に倣って湾曲させた状態で保持する。
【０１０１】
また、カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首２００に近接するか、手首２００の形状に沿うか、又は、手首２００の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首２００の周方向に沿って湾曲する形状を維持できることである。
【０１０２】
カーラ５は、内周面にカフ構造体６が配置され、そして、カーラ５の内周面形状に沿ってカフ構造体６を保持する。具体例として、カーラ５は、押圧カフ７１及び引張カフ７４が内周面に配置され、カーラ５並びに押圧カフ７１及び引張カフ７４との間に設けられる接合層７５により、カフ構造体６が固定されることで、カフ構造体６を保持する。本実施形態においては、接合層７５は、接着剤や両面テープである。
【０１０３】
図１乃至図３、図１５、図２１及び図２２に示すように、カフ構造体６は、押圧カフ７１と、背板７２と、センシングカフ７３と、引張カフ７４と、を備えている。また、カフ構造体６は、各構成同士、及び、カーラ５とカフ７１、７４を接合する接合層７５を備えている。カフ構造体６は、カーラ５に固定される。カフ構造体６は、押圧カフ７１、背板７２及びセンシングカフ７３が積層してカーラ５に配置され、引張カフ７４が押圧カフ７１、背板７２及びセンシングカフ７３と離間してカーラ５に配置される。
【０１０４】
具体例として、カフ構造体６は、図４に示すように、カーラ５の手首２００の手の平側の内周面に、カーラ５の内周面から手首２００側に向かって、押圧カフ７１、背板７２及びセンシングカフ７３の順に積層して固定される。また、カフ構造体６は、カーラ５の手首２００の手の甲側の内周面に引張カフ７４が配置される。カフ構造体６の各部材は、積層方向に隣接する部材に接合層７５によって固定される。
【０１０５】
押圧カフ７１は、流路部１５を介してポンプ１４に流体的に接続される。押圧カフ７１は、膨張することで背板７２及びセンシングカフ７３を手首２００側に押圧する。押圧カフ７１は、図１５乃至図１７に示すように、複数の、例えば二層の空気袋８１と、カーラ５と対向する空気袋８１に設けられた被接合部８２と、空気袋８１と連通する流路体８３と、流路体８３の先端に設けられた接続部８４と、を含む。このような押圧カフ７１は、複数のシート部材８６を一体に溶着することで構成される。
【０１０６】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋８１は、積層され、積層方向に流体的に連通する。
【０１０７】
空気袋８１は、一方向に長い矩形状の袋形状に形成される。また、空気袋８１は、短手方向の幅が、カーラ５の短手方向の幅と同じ幅に設定される。空気袋８１は、例えば、二枚のシート部材８６を組み合わせ、図２１乃至図２４に溶着部８１ａを示すように、一方向に長い矩形枠状に熱により溶着することで構成される。また、二層の空気袋８１は、二つの空気袋８１を熱により溶着して一体に組み合わせるか、又は、隣り合う空気袋８１の対向するシート部材８６同士を溶着したあとに空気袋８１を溶着して形成することで構成される。具体例として、二層の空気袋８１は、互いに対向するシート部材８６に設けられた開口によって流体的に連続する。また、二層の空気袋８１は、対向するシート部材８６同士を外周縁に位置する溶着部８１ａよりも小さい四辺枠状にブリッジ溶着し、このブリッジ溶着部８１ｂで複数の開口を囲うことで、隣り合う空気袋８１を一体に形成し、そして、ブリッジ溶着部８１ｂの内側で流体的に連続させる。ここで、ブリッジ溶着及びブリッジ溶着部８１ｂのブリッジとは、隣り合う空気袋８１を一体に接合することを意味する。
【０１０８】
被接合部８２は、カーラ５と隣接して配置される空気袋８１の縁部の少なくとも一部に、単数又は複数設けられる。被接合部８２は、空気袋８１を構成するシート部材８６の一部によって形成される。
【０１０９】
本実施形態においては、被接合部８２は、図１５乃至図１７、図２１乃至図２４に示すように、空気袋８１の短手方向の縁部のそれぞれに一つずつ設けられる例を用いて説明する。なお、例えば、被接合部８２は、スリットにより空気袋８１の長手方向に分割されていてもよく、また、空気袋８１の長手方向に複数設けられていてもよい。被接合部８２は、押圧カフ７１がカーラ５の内周面に配置されたときに、少なくとも、カーラ５の外周面に接合される。また、例えば、二つの被接合部８２は、積層され、そして溶着される。
【０１１０】
なお、二つの被接合部８２は、例えば、空気袋８１の短手方向の長さが異なる長さに設定される。この例においては、二つの被接合部８２は、カーラ５の短手方向の一端側において積層されて溶着される。なお、二つの被接合部８２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【０１１１】
流路体８３は、図１５乃至図１８に示すように、一つの空気袋８１、例えば、カーラ５に隣接する空気袋８１の長手方向の一方の縁部の一部に一体に設けられる。具体例として、流路体８３は、空気袋８１の装置本体３に近い端部に設けられる。また、流路体８３は、空気袋８１の短手方向の幅よりも小さい幅で一方向に長い形状に形成され、先端が円形状に形成される。流路体８３は、先端に接続部８４を有する。流路体８３は、接続部８４を介して流路部１５に接続され、装置本体３の流路部１５と空気袋８１との間の流路を構成する。
【０１１２】
流路体８３は、二枚のシート部材８６に接続部８４を配置した状態で、シート部材８６の空気袋８１を構成する領域に隣接するシート部材８６の一部を一方向に長い枠状に熱により溶着することで構成される。このような流路体８３は、カーラ５の内周面及び引張カフ７４の間に配置され、先端がカーラ５のカバー部５ａが設けられた領域の手首２００側の主面であって、且つ、第１孔部５ｆ１と対向する位置に配置される。また、流路体８３の溶着部８３ａを除く幅は、例えば、３．８ｍｍに形成される。
【０１１３】
なお、流路体８３が設けられる空気袋８１は、二枚のシート部材８６を矩形枠状に溶着する溶着部８１ａの一部を非溶着とし、流路体８３を構成する溶着部８３ａと連続する構成とすることで、空気袋８１が流路体８３に流体的に連続する。
【０１１４】
接続部８４は、例えばニップルである。接続部８４は、流路体８３の先端に設けられる。接続部８４の先端は、流路体８３を構成する二枚のシート部材８６のうち、カーラ５と対向するシート部材８６から露出する。接続部８４は、カーラ５の第１孔部５ｅ１に挿通され、流路部１５に接続される。
【０１１５】
具体例として、押圧カフ７１は、図１６及び図１７に示すように、手首２００側から、第１シート部材８６ａと、第１シート部材８６ａと一層目の空気袋８１を構成する第２シート部材８６ｂと、第２シート部材８６ｂと一体に接合されるとともに、被接合部８２を構成する第３シート部材８６ｃと、第３シート部材８６ｃと二層目の空気袋８１及び流路体８３を構成する第４シート部材８６ｄと、を備える。なお、押圧カフ７１は、隣り合うシート部材８６が熱による溶着により接合されることで一体に構成される。
【０１１６】
第１シート部材８６ａ及び第２シート部材８６ｂは、空気袋８１と同様の矩形状に構成され、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。また、第２シート部材８６ｂ及び第３シート部材８６ｃは、複数の開口８６ｂ１、８６ｃ１の周囲を、空気袋８１を溶着した四辺よりも小さい四辺枠状に熱により溶着されることで、一体に接合される。
【０１１７】
第３シート部材８６ｃは、例えば、空気袋８１、被接合部８２及び流路体８３を構成可能な形状に構成される。第４シート部材８６ｄは、例えば、空気袋８１及び流路体８３を構成可能な形状に構成される。また、第４シート部材８６ｄは、例えば、接続部８４の先端を挿入可能な孔部８６ｄ１を有する。
【０１１８】
第３シート部材８６ｃ及び第４シート部材８６ｄは、対向して配置され、空気袋８１及び流路体８３が流体的に連続するように、空気袋８１及び流路体８３の周縁形状に沿って熱により溶着され、所定の形状に裁断されることで空気袋８１、被接合部８２及び流路体８３を構成する。
【０１１９】
第４シート部材８６ｄは、孔部８６ｄ１に接続部８４が配置され、そして、孔部８６ｄ１の周囲が接続部８４と熱により溶着される。さらに、第４シート部材８６ｄは、カーラ５の内周面に、第３シート部材８６ｃの被接合部８２はカーラ５の外周面に、それぞれ接合層７５を介して接合される。
【０１２０】
背板７２は、図１６及び図１７に示すように、接合層７５により押圧カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【０１２１】
ここで、形状追従性とは、配置される手首２００の被接触箇所の形状を倣うように背板７２が変形可能な機能をいい、手首２００の被接触箇所とは、背板７２が対向する手首２００の領域をいい、ここでの接触とは、直接的な接触及びセンシングカフ７３を介した間接的な接触の双方を含む。
【０１２２】
例えば、図１７に示すように、背板７２は、背板７２の両主面に長手方向に対して直交する方向に延びる複数の溝７２ａを有する。図１７に示すように、溝７２ａは、背板７２の両主面にそれぞれ複数設けられる。両主面に設けられた複数の溝７２ａは、背板７２の厚さ方向においてそれぞれ対向する。また、複数の溝７２ａは、背板７２の長手方向に等間隔に配置される。
【０１２３】
背板７２は、複数の溝７２ａを有する部位が溝７２ａを有さない部位に比べて薄肉となることで、複数の溝７２ａを有する部位が変形しやすいことから、手首２００の形状に倣って変形し、手首２００の周方向に延在する形状追従性を有する。背板７２は、手首２００の手の平側を覆う長さに形成される。背板７２は、手首２００の形状に沿った状態で、押圧カフ７１からの押圧力をセンシングカフ７３の背板７２側の主面に伝達する。
【０１２４】
センシングカフ７３は、流路部１５を介してポンプ１４に流体的に接続される。センシングカフ７３は、背板７２の手首２００側の主面に固定される。センシングカフ７３は、図４及び図１６に示すように、手首２００の動脈２１０が存する領域に直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した押圧カフ７１により、背板７２を介して手首２００側に押圧される。
【０１２５】
具体例として、センシングカフ７３は、図１６、図１７、図２５及び図２６に示すように、一つの空気袋９１と、空気袋９１と連通する流路体９２と、流路体９２の先端に設けられた接続部９３と、を含む。センシングカフ７３は、空気袋９１の一方の主面が背板７２に固定される。例えば、センシングカフ７３は、背板７２の手首２００側の主面に接合層７５により接合される。このようなセンシングカフ７３は、二枚のシート部材９６を一体に溶着することで構成される。
【０１２６】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。
【０１２７】
空気袋９１は、一方向に長い矩形状に構成される。空気袋９１は、例えば、一方向に長い二枚のシート部材９６を組み合わせ、図１６、図１７、図２１、図２５及び図２６に溶着部９１ａを示すように、一方向に長い矩形枠状に熱により溶着することで構成される。また、空気袋９１は、例えば、空気袋９１を背板７２に接合層７５を用いて接合するための面積を確保するために、接合代９１ｂを有する。接合代９１ｂは、例えば、背板７２に対向するシート部材９６により形成される。
【０１２８】
流路体９２は、空気袋９１の長手方向の一方の縁部の一部に一体に設けられる。具体例として、流路体９２は、空気袋９１の装置本体３に近い端部に設けられる。また、流路体９２は、空気袋９１の短手方向の幅よりも小さい幅で一方向に長い形状に形成され、先端が円形状に形成される。流路体９２は、先端に接続部９３を有する。流路体９２は、先端に、接続部９３を有する。流路体９２は、接続部９３を介して流路部１５に接続され、装置本体３の流路部１５と空気袋９１との間の流路を構成する。
【０１２９】
流路体９２は、二枚のシート部材９６に接続部９３を配置した状態で、シート部材９６の空気袋９１を構成する領域に隣接するシート部材９６の一部を一方向に長い枠状に熱により溶着することで構成される。なお、空気袋９１は、二枚のシート部材９６を矩形枠状に溶着する溶着部９１ａの一部を非溶着とし、流路体９２を構成する溶着部９２ａと連続する構成とすることで、空気袋９１及び流路体９２を流体的に連続する。このような流路体９２は、カーラ５の内周面及び引張カフ７４の間に配置され、先端がカーラ５のカバー部５ａが設けられた領域の手首２００側の主面であって、且つ、第２孔部５ｆ２と対向する位置に配置される。また、流路体９２の溶着部９２ａを除く幅は、例えば、３．８ｍｍに形成される。
【０１３０】
接続部９３は、例えばニップルである。接続部９３は、流路体９２の先端に設けられる。また、接続部９３の先端は、流路体９２を構成する二枚のシート部材９６のうち、カーラ５及び背板７２と対向するシート部材９６から外部に露出する。接続部９３は、カーラ５の第２孔部５ｅ２に挿通され、流路部１５に接続される。
【０１３１】
具体例として、センシングカフ７３は、図１６及び図１７に示すように、手首２００側から第５シート部材９６ａ及び第６シート部材９６ｂを備える。なお、センシングカフ７３は、隣り合うシート部材９６が熱による溶着により接合されることで構成される。
【０１３２】
例えば、第５シート部材９６ａ及び第６シート部材９６ｂは、空気袋９１、接合代９１ｂ及び流路体９２を構成可能な形状に構成される。第５シート部材９６ａ及び第６シート部材９６ｂは、対向して配置され、空気袋９１及び流路体９２が流体的に連続するように、空気袋９１及び流路体９２の周縁形状に沿って熱により溶着され、所定の形状に裁断されることで空気袋９１及び流路体９２を構成する。
【０１３３】
また、第６シート部材９６ｂは、例えば、接続部９３の先端を挿入可能な孔部９６ｂ１を有する。第６シート部材９６ｂは、孔部９６ｂ１に接続部９３が配置され、そして、孔部９６ｂ１の周囲が接続部９３と熱により溶着される。第６シート部材９６ｂは、背板７２の内周面に、接合層７５を介して接合される。
【０１３４】
引張カフ７４は、流路部１５を介してポンプ１４に流体的に接続される。引張カフ７４は、膨張することで手首２００から離間するようにカーラ５を押圧することで、ベルト４及びカーラ５を手首２００の手の甲側に引っ張る。引張カフ７４は、複数の、例えば六層の空気袋１０１と、カーラ５と対向する空気袋１０１に設けられた被接合部１０２と、カーラ５と対向する空気袋１０１に設けられた接続部１０３と、少なくともカーラ５と対向する空気袋１０１に設けられた切欠部１０４と、を含む。このような引張カフ７４は、複数のシート部材１０６を一体に溶着することで構成される。また、引張カフ７４は、流路体８３、９２が設けられた領域、及び、カバー部５ａを含むカーラ５の手首２００の手の甲側に固定される。即ち、カーラ５の手首２００の手の甲側及び引張カフ７４の間に、押圧カフ７１の流路体８３及びセンシングカフ７３の流路体９２が配置される。
【０１３５】
また、引張カフ７４は、膨張方向、本実施形態においては、カーラ５及び手首２００の対向する方向で、膨張時の厚さが、押圧カフ７１の膨張方向における膨張時の厚さ、及び、センシングカフ７３の膨張方向における膨張時の厚さよりも厚く構成される。即ち、引張カフ７４の空気袋１０１は、押圧カフ７１の空気袋８１及びセンシングカフ７３の空気袋９１よりも多い層構造を有し、カーラ５から手首２００に向かって膨張したときの厚さが押圧カフ７１及びセンシングカフ７３よりも厚い。
【０１３６】
本実施形態において、六層の空気袋１０１を含む引張カフ７４は、一つの空気袋１０１により構成される第１外層１１１、第１外層１１１に熱により溶着して一体に組み合わされた二層の空気袋１０１により構成される第１中間層１１２、第１中間層１１２に熱により溶着して一体に組み合わされた二層の空気袋１０１により構成される第２中間層１１３、及び、第２中間層１１２に熱により溶着して一体に組み合わされた一つの空気袋１０１により構成される第２外層１１４を備える。
【０１３７】
ここで、空気袋１０１とは、袋状構造体であり、本実施形態においては血圧測定装置１がポンプ１４により空気を用いる構成であることから、空気袋を用いて説明するが、空気以外の流体を用いる場合には、袋状構造体は当該流体により膨張する流体袋であればよい。複数の空気袋１０１は、積層され、積層方向に流体的に連通する。
【０１３８】
空気袋１０１は、一方向に長い矩形状の袋形状に形成される。また、空気袋１０１は、短手方向の幅が、カーラ５の短手方向の幅と同じ幅に設定される。空気袋１０１は、例えば、二枚のシート部材１０６を組み合わせ、図１８、図１９、図２１及び図２２に溶着部１０１ａを示すように、一方向に長い矩形枠状に熱により溶着することで構成される。六層の空気袋１０１は、互いに対向するシート部材１０６に設けられた開口によって流体的に連続する。
【０１３９】
また、六層の空気袋１０１は、第１外層１１１及び第１中間層１１２、第１中間層１１２及び第２中間層１１３、並びに、第２中間層１１３及び第２外層１１４がそれぞれ対向するシート部材１０６同士を外周縁に位置する溶着部８１ａよりも小さい四辺枠状にブリッジ溶着し、このブリッジ溶着部１０１ｂで複数の開口を囲うことで、隣り合う空気袋１０１を一体に形成し、そして、溶着部１０１ｂの内側で流体的に連続させる。
【０１４０】
第１外層１１１は、手首２００側に配置される一つの空気袋１０１により形成される。第１外層１１１は、六層の空気袋１０１のうち、手首２００側から第一層の空気袋１０１を構成する。
【０１４１】
第１中間層１１２は、第１外層１１１に積層される。第１中間層１１２は、二層の空気袋１０１により形成される。第１中間層１１２は、六層の空気袋１０１のうち、手首２００側から第二層及び第三層の空気袋１０１を構成する。第１中間層１１２は、二層の空気袋１０１が外周縁で一体に溶着されることで構成される。換言すると、第１中間層１１２は、４枚のシート部材１０６を空気袋１０１の外周縁形状で一体に溶着することで形成される。
【０１４２】
第２中間層１１３は、第１中間層１１２に積層される。第２中間層１１３は、二層の空気袋１０１により形成される。第２中間層１１３は、六層の空気袋１０１のうち、手首２００側から第四層及び第五層の空気袋１０１を構成する。第２中間層１１３は、二層の空気袋１０１が外周縁で一体に溶着されることで構成される。換言すると、第２中間層１１３は、４枚のシート部材１０６を空気袋１０１の外周縁形状で一体に溶着することで形成される。
【０１４３】
第２外層１１４は、カーラ５側に配置される一つの空気袋１０１により形成される。第２外層１１４は、六層の空気袋１０１のうち、手首２００側から第六層の空気袋１０１を構成する。
【０１４４】
被接合部１０２は、カーラ５と隣接して配置される空気袋１０１の縁部の少なくとも一部に、単数又は複数設けられる。被接合部１０２は、空気袋１０１を構成するシート部材１０６の一部によって形成される。
【０１４５】
本実施形態においては、被接合部１０２は、空気袋１０１の短手方向の縁部のそれぞれに、空気袋１０１の長手方向で二つずつ設けられる例を用いて説明する。なお、例えば、被接合部１０２は、カーラ５のカバー部５ａと対向する位置を避けて空気袋１０１に設けられる。また、例えば、被接合部１０２は、カーラ５に設けられた給電部８の後述する給電端子８ｂと対向する部位に、給電端子８ｂを外部に露出させるための逃げ部１０２ａを有する。逃げ部１０２ａは、例えば、給電端子８ｂを外部に露出可能な開口であり、一例として円形状である。
【０１４６】
被接合部１０２は、引張カフ７４がカーラ５の内周面に配置されたときに、少なくとも、カーラ５の外周面に接合される。また、空気袋１０１の短手方向で同じ位置に配置される被接合部１０２は、積層され、そして溶着される。
【０１４７】
なお、二つの被接合部１０２は、例えば、空気袋１０１の短手方向の長さが異なる長さに設定される。この例においては、二つの被接合部１０２は、カーラ５の短手方向の一端側において積層されて溶着される。なお、二つの被接合部１０２は、先端がカーラ５の外周面に配置可能であれば、その長さは適宜設定可能であり、積層可能であってもなくてもよいが、積層可能な長さに設定される場合には、先端がカーラ５の外周面の外縁よりも外方に延設されない長さが好ましい。
【０１４８】
接続部１０３は、例えばニップルである。接続部１０３は、カーラ５と隣接して配置される空気袋１０１の長手方向で中央側であって、且つ、カバー部５ａの第３孔部５ｆ３と対向する位置に設けられる。接続部１０３の先端は、空気袋１０１を構成する二枚のシート部材１０６のうち、カーラ５と対向するシート部材１０６から露出する。接続部１０３は、カバー部５ａの第３孔部５ｆ３に挿通され、流路部１５に接続される。
【０１４９】
切欠部１０４は、カーラ５に設けられた逃げ部５ｂと対向する位置に設けられる。切欠部１０４は、第２外層１１４を形成する第六層の空気袋１０１に設けられる。
【０１５０】
具体例として、引張カフ７４は、図１８及び図１９に示すように、手首２００側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、引張カフ７４は、隣り合うシート部材１０６が熱による溶着により接合されることで一体に構成される。
【０１５１】
第７シート部材１０６ａ乃至第１８シート部材１０６ｌは、空気袋１０１と同様の矩形状に構成される。第７シート部材１０６ａ及び第８シート部材１０６ｂは、空気袋１０１の四辺の周縁部形状に沿って熱により溶着されることで、手首２００側から一層目の空気袋１０１を構成する。即ち、第７シート部材１０６ａ及び第８シート部材１０６ｂは、第１外層１１１を構成する。
【０１５２】
第８シート部材１０６ｂ及び第９シート部材１０６ｃは、対向して配置され、それぞれ、二つの空気袋１０１を流体的に連続させる複数の開口１０６ｂ１、１０６ｃ１を有する。また、第８シート部材１０６ｂ及び第９シート部材１０６ｃは、複数の開口１０６ｂ１、１０６ｃ１の周囲を、空気袋１０１を溶着した四辺よりも小さい四辺枠状に熱によりブリッジ溶着されることで、一体に接合される。
【０１５３】
第９シート部材１０６ｃ及び第１０シート部材１０６ｄは、空気袋１０１の四辺の周縁部形状に沿って熱により溶着されることで、手首２００側から二層目の空気袋１０１を構成する。
【０１５４】
第１０シート部材１０６ｄ及び第１１シート部材１０６ｅは、図１８及び図１９に示すように、対向して配置され、それぞれ、二つの空気袋１０１を流体的に連続させる複数の開口１０６ｄ１、１０６ｅ１を有する。第１１シート部材１０６ｅ及び第１２シート部材１０６ｆは、空気袋１０１の四辺の周縁部形状に沿って熱により溶着されることで、手首２００側から三層目の空気袋１０１を構成する。
【０１５５】
なお、第９シート部材１０６ｅ、第１０シート部材１０６ｄ、第１１シート部材１０６ｅ及び第１２シート部材１０６ｆは、空気袋１０１の四辺の周縁部形状に沿って熱により一体に溶着され、されることで、第二層及び第三層の空気袋１０１が一体に形成された第１中間層１１２を構成する。
【０１５６】
第１２シート部材１０６ｆ及び第１３シート部材１０６ｇは、図１８及び図１９に示すように、対向して配置され、それぞれ、二つの空気袋１０１を流体的に連続させる複数の開口１０６ｆ１、１０６ｇ１を有する。また、第１２シート部材１０６ｆ及び第１３シート部材１０６ｇは、複数の開口１０６ｆ１、１０６ｇ１の周囲を、空気袋１０１を溶着した四辺よりも小さい四辺枠状に熱によりブリッジ溶着されることで、一体に接合される。
【０１５７】
第１３シート部材１０６ｇ及び第１４シート部材１０６ｈは、空気袋１０１の四辺の周縁部形状に沿って熱により溶着されることで、手首２００側から四層目の空気袋１０１を構成する。
【０１５８】
第１４シート部材１０６ｈ及び第１５シート部材１０６ｉは、図１８及び図１９に示すように、対向して配置され、それぞれ、二つの空気袋１０１を流体的に連続させる複数の開口１０６ｈ１、１０６ｉ１を有する。第１５シート部材１０６ｉ及び第１６シート部材１０６ｊは、空気袋１０１の四辺の周縁部形状に沿って熱により溶着されることで、手首２００側から五層目の空気袋１０１を構成する。
【０１５９】
なお、第１３シート部材１０６ｅ、第１４シート部材１０６ｄ、第１５シート部材１０６ｅ及び第１６シート部材１０６ｆは、空気袋１０１の四辺の周縁部形状に沿って熱により一体に溶着されることで、第四層及び第五層の空気袋１０１が一体に形成された第２中間層１１３を構成する。
【０１６０】
第１６シート部材１０６ｊ及び第１７シート部材１０６ｋは、図１８及び図１９に示すように、対向して配置され、それぞれ、二つの空気袋１０１を流体的に連続させる複数の開口１０６ｊ１、１０６ｋ１を有する。また、第１７シート部材１０６ｋは、例えば、空気袋１０１及び被接合部１０２を構成可能な形状に構成される。第１６シート部材１０６ｊ及び第１７シート部材１０６ｋは、複数の開口１０６ｊ１、１０６ｋ１の周囲を、空気袋１０１を溶着した四辺よりも小さい四辺枠状に熱によりブリッジ溶着されることで、一体に接合される。
【０１６１】
第１７シート部材１０６ｋ及び第１８シート部材１０６ｌは、空気袋１０１の四辺の周縁部形状に沿って熱により溶着され、所定の形状に裁断されることで、手首２００側から六層目の逃げ部１０４を有する空気袋１０１及び被接合部１０２を構成する。
【０１６２】
また、第１８シート部材１０６ｌは、例えば、接続部１０３の先端を挿入可能な孔部１０６ｌ１を有する。第１８シート部材１０６ｌは、孔部１０６ｌ１に接続部１０３が配置され、そして、孔部１０６ｌ１の周囲が接続部１０３と熱により溶着される。また、第１８シート部材１０６ｌは、カーラ５の内周面に、第１７シート部材１０６ｋの被接合部１０２はカーラ５の外周面に、それぞれ接合層７５を介して接合される。
【０１６３】
また、押圧カフ７１、センシングカフ７３及び引張カフ７４を形成する各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。なお、押圧カフ７１、センシングカフ７３は、少なくとも空気袋８１、１０１を構成する複数のシート部材８６、１０６のうち、少なくともカーラ５と溶着されるシート部材８６、１０６がカーラ５と同種材料で構成される。
【０１６４】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【０１６５】
流体回路７は、ケース１１、ポンプ１４、流路部１５、開閉弁１６、圧力センサ１７、押圧カフ７１、センシングカフ７３、及び、引張カフ７４によって構成される。以下、流体回路７の具体例を説明する。
【０１６６】
流体回路７は、図５に示すように、例えば、第１開閉弁１６Ａを介してポンプ１４とセンシングカフ７３、第１圧力センサ１７Ａ及び第２圧力センサ１７Ｂとを連続する第１流路７ａと、ポンプ１４及び第１開閉弁１６Ａの間の第１流路７ａから分岐されることで構成され、第２開閉弁１６Ｂ、第３開閉弁１６Ｃ及び第４開閉弁１６Ｄを順次介してポンプ１４と大気とを連続する第２流路７ｂと、第２流路７ｂの第２開閉弁１６Ｂ及び第３開閉弁１６Ｃ間の中途部が分岐されることで構成され、ポンプ１４から引張カフ７４を連続する第３流路７ｃと、第２流路７ｂの第３開閉弁１６Ｃ及び第４開閉弁１６Ｄ間の中途部が分岐されることで構成され、ポンプ１４から押圧カフ７１を連続する第４流路７ｄと、を備えている。
【０１６７】
このような流体回路７は、第２開閉弁１６Ｂ及び第３開閉弁１６Ｃが開き、第１開閉弁１６Ａ及び第４開閉弁１６Ｄが閉じることで、第２流路７ｂから分岐する第３流路７ｃ及び第４流路７ｄがポンプ１４と接続し、ポンプ１４、押圧カフ７１及び引張カフが流体的に接続される。
【０１６８】
流体回路７は、第１開閉弁１６Ａ、第２開閉弁１６Ｂ及び第３開閉弁１６Ｃが開き、そして、第４開閉弁１６Ｄが閉じることで、第１流路７ａ、第２流路７ｂから分岐する第３流路７ｃ及び第４流路７ｄがポンプ１４と接続され、ポンプ１４、押圧カフ７１及び引張カフ、並びに、ポンプ１４及びセンシングカフ７３が流体的に接続される。流体回路７は、第２開閉弁１６Ｂ、第３開閉弁１６Ｃ及び第４開閉弁１６Ｄが開き、そして、第１開閉弁１６Ａが閉じることで、第２流路７ｂ、第３流路７ｃ及び第４流路７ｄがポンプ１４と接続され、ポンプ１４、押圧カフ７１、引張カフ７４及び大気が流体的に接続される。また、流体回路７は、第１開閉弁１６Ａ、第２開閉弁１６Ｂ、第３開閉弁１６Ｃ及び第４開閉弁１６Ｄが開くことで、第１流路７ａ、第２流路７ｂ、第３流路７ｃ及び第４流路７ｄがポンプ１４と接続され、ポンプ１４、押圧カフ７１、センシングカフ７３、引張カフ７４及び大気が流体的に接続される。
【０１６９】
給電部８は、図３、図６及び図１５に示すように、装置本体３から突出するカーラ５の一端側の外面に形成された窪み５ｃに設けられる。例えば、給電部８は、充電器の充電ケーブルに設けられたコネクタと接続可能に構成される。
【０１７０】
図２、図６及び図１５に示すように、給電部８は、配線部８ａと、給電端子８ｂと、カーラ５の窪み５ｃに配置された配線部８ａを覆うカバー８ｃと、を備えている。配線部８ａは、一端が給電端子８ｂに、他端が制御部５５に接続される。給電端子８ｂは、例えば二つの円形状の端子により構成される。例えば、配線部８ａ及び給電端子８ｂは、ポリイミド等のベースフィルムに導電性金属膜等が設けられたＦＰＣ（Flexible printed circuits）等により形成される。カバー８ｃは、窪み５ｃと同形状に形成され、窪み５ｃを覆うとともに、窪み５ｃに設けられたときに、上面が、カーラ５の短手側の外面と面一となる。
【０１７１】
次に、血圧測定装置１を使用した血圧値の測定の一例について、図２７乃至図３１を用いて説明する。図２７は、血圧測定装置１を用いた血圧測定の一例を示す流れ図であり、ユーザの動作及び制御部５５の動作の双方を示す。また、図２８乃至図３０は、ユーザが手首２００に血圧測定装置１を装着する一例を示す。
【０１７２】
先ず、ユーザは、手首２００に血圧測定装置１を装着する（ステップＳＴ１）。具体例として、例えば、ユーザは、図２８に示すように、手首２００の一方をカーラ５内に挿入する。
【０１７３】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び引張カフ７４は、手首２００の手の甲側に配される。次いで図２９に示すように、ユーザが血圧測定装置１を配した手とは反対の手によって、第１ベルト６１の尾錠６１ｂの枠状体６１ｅに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｆを挿入する。これにより、図３０に示すように、第１ベルト６１及び第２ベルト６２が接続され、血圧測定装置１が手首２００に装着される。
【０１７４】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、例えば、第１開閉弁１６Ａ、第２開閉弁１６Ｂ及び第３開閉弁１６Ｃを開くとともに、第４開閉弁１６Ｄを閉じ、ポンプ１４を駆動し、第１流路７ａ、第２流路７ｂ、第３流路７ｃ及び第４流路７ｄを介して押圧カフ７１、センシングカフ７３及び引張カフ７４へ圧縮空気を供給する（ステップＳＴ３）。これにより、押圧カフ７１、センシングカフ７３及び引張カフ７４は膨張を開始する。
【０１７５】
ポンプ１４が駆動されると、ポンプ１４は、ケース１１内の空気を吸い込む。この為、ケース１１内は、負圧となる。ケース１１内が負圧となると、孔３１ｃを通してケース１１外からケース１１内へ空気が流入する。
【０１７６】
このとき、孔３１ｃ内へ流入する空気に伴ってケース１１の外側から第２開口端３１ｅを通って孔３１ｃに浸入して、フィルタ３７に到達した水は、フィルタ３７により、ケース１１内へ侵入することが抑制される。ここで言う水は、使用者の汗、雨水、生活水等を含む。
【０１７７】
また、孔３１ｃが、外郭ケース３１の中心線に対して傾斜する形状を有することから、例えば、使用者が表示部１２を確認する場合等に、手首２００を使用者の頭部の下方に移動し、かつ、ケース１１をユーザにより表示部１２を視認可能な姿勢とすると、孔３１ｃが水平方向に対して傾斜する姿勢となるので、孔３１ｃ内に浸入した水は、重力の作用によって、第２開口端３１ｅ側に移動される。
【０１７８】
第１圧力センサ１７Ａ及び第２圧力センサ１７Ｂは、押圧カフ７１、センシングカフ７３及び引張カフ７４の圧力を検出し、この圧力に対応した電気信号を制御部５５へ出力する（ステップＳＴ４）。制御部５５は、受信した電気信号に基づいて、押圧カフ７１、センシングカフ７３及び引張カフ７４の内部空間の圧力が血圧測定のための所定の圧力に達しているか否かを判断する（ステップＳＴ５）。例えば、押圧カフ７１及び引張カフ７４の内圧が所定の圧力に達しておらず、且つ、センシングカフ７３の内圧が所定の圧力に達した場合には、制御部５５は、第１開閉弁１６Ａを閉じ、第２流路７ｂ、第３流路７ｃ、第４流路７ｄを介して圧縮空気を供給する。
【０１７９】
押圧カフ７１及び引張カフ７４の内圧並びにセンシングカフ７３の内圧が、全て所定の圧力に達した場合には、制御部５５は、ポンプ１４の駆動を停止する（ステップＳＴ５でＹＥＳ）。このとき、図４に二点鎖線示すように、押圧カフ７１及び引張カフ７４は十分に膨張しており、膨張した押圧カフ７１は、背板７２を押圧する。また、引張カフ７４は、手首２００から離間する方向に、カーラ５を押圧することから、ベルト４、カーラ５及び装置本体３は、手首２００から離間する方向に移動し、結果、押圧カフ７１、背板７２、センシングカフ７３が手首２００側に引っ張られる。加えて、引張カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。なお、カーラ５は、手首２００の皮膚を引っ張ることができれば、例えば、シート部材８６、１０６を介して間接的に手首２００の皮膚に接触する構成であってもよい。
【０１８０】
さらに、センシングカフ７３は、内圧が血圧を測定するために要する圧力となるように所定の空気量が供給され、膨張しており、そして、押圧カフ７１に押圧された背板７２によって手首２００に向かって押圧される。このため、センシングカフ７３は、手首２００内の動脈２１０を押圧し、図３１に示すように動脈２１０を閉塞する。
【０１８１】
また、制御部５５は、例えば、第３開閉弁１６Ｃを制御し、第３開閉弁１６Ｃの開閉を繰り返すか、又は、第３開閉弁１６Ｃの開度を調整することで、押圧カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ６）。制御部５５は、求めた測定結果に対応した画像信号を、表示部１２へ出力し、測定結果を表示部１２に表示する（ステップＳＴ７）。また、制御部５５は、血圧測定終了後、第１開閉弁１６Ａ、第２開閉弁１６Ｂ、第３開閉弁１６Ｃ及び第４開閉弁１６Ｄを開く。
【０１８２】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｆを外し、枠状体６１ｅから第２ベルト６２を外し、カーラ５から手首２００を抜くことで、手首２００から血圧測定装置１を取り外す。
【０１８３】
このように構成された本実施形態に係る血圧測定装置１は、外郭ケース３１内で、開閉弁１６は、外郭ケース３１の軸方向Ｄでポンプ及び電力供給部１８から離れた位置に配置される。この為、ケース１１の、外郭ケース３１の軸方向Ｄで薄型化することが可能となる。
【０１８４】
さらに、電力供給部１８がポンプ１４上に配置され、電力供給部１８のポンプ１４に対向する面の縁部が、両面テープ３８によってポンプ１４に固定される。この為、電力供給部１８のポンプ１４に対向する面１８ａの中央側とポンプ１４との間に、両面テープ３８の厚みに応じた隙間Ｓが設けられる。この為、電力供給部１８が劣化等により膨張したときに、電力供給部１８のポンプ１４側の面がポンプ１４に向かって膨らんでも、電力供給部１８がポンプ１４に直接接触することを抑制できるので、ポンプ１４で生じた熱が電力供給部１８に伝わることを抑制できる。
【０１８５】
さらに、孔３１ｃのケース１１内の開口端である第１開口端３１ｄが、第１方向で隙間Ｓと対向する位置に配置される。この為、ポンプ１４が駆動することでケース１１外から孔３１ｃを通ってケース１１内に流入した空気を、スムーズに隙間Ｓに流入できる。この為、ケース１１外から流入した空気により、ポンプ１４を効率よく冷却可能となる。
【０１８６】
さらに、電力供給部１８は、電力供給部１８の長手方向の一方側が、ポンプ１４に外郭ケース３１の軸方向Ｄで対向する。この為、電力供給部１８が劣化等により膨張し、電力供給部１８がポンプ１４側に膨むと、電力供給部１８の第１方向で第１開口端３１ｄ側と、ポンプ１４の第１方向で第１開口端３１ｄ側との間の隙間が広がる。
【０１８７】
結果、ポンプ１４及び電力供給部１８間の隙間Ｓへ空気が流入しやすくなることで、ポンプ１４及び電力供給部１８の冷却効率が向上する。この為、電力供給部１８の劣化を抑制できる。
【０１８８】
さらに、両面テープ３８は、電力供給部１８のポンプ１４に対向する面１８ａの長手方向に沿う縁部に設けられる。そして、ポンプ１４の第２吸い込み孔１４ｄ２及び第３吸い込み孔１４ｄ３が、面１４ｃの、電力供給部１８の長手方向に沿う縁部に対向する位置に配置される。
【０１８９】
この為、孔３１ｃの第１開口端３１ｄからの空気を、２つの両面テープ３８の間を通してスムーズに隙間Ｓに流入させることが可能となる。さらに、電力供給部１８は劣化等により面１８ａの中央側が膨張することで、電力供給部１８の長手方向の一端が、ポンプ１４から離間する。結果、電力供給部１８及びポンプ１４間の隙間が広がる。この為、電力供給部１８が膨張しても、第２吸い込み孔１４ｄ２及び第３吸い込み孔１４ｄ３が、電力供給部１８により閉塞されることを抑制できる。
【０１９０】
さらに、孔３１ｃは、外郭ケース３１の中心線に対して傾斜する形状に構成される。この為、孔３１ｃ及び隙間Ｓを通ってポンプ１４まで導かれる空気の流路が大きく屈曲することがないので、孔３１ｃ及び隙間Ｓを含む空気の流路の流路抵抗を小さくできる。
【０１９１】
さらに、孔３１ｃの、外郭ケース３１の外周面３１ｆに配置される第２開口端３１ｅは、ベルト４のケース１１側の端部により覆われる位置に配置される。この為、孔３１ｃがベルト４により覆われることで外部に露出することが抑制されることで孔３１ｃを目立たなくすることが可能となり、血圧測定装置１の意匠性が向上する。
【０１９２】
さらに、血圧測定装置１は、孔３１ｃが、外郭ケース３１の軸方向Ｄに対して傾斜する直線状の孔に構成されるので、ケース１１外から孔３１ｃ内に水が浸入しても、この水を、第２開口端３１ｅに向かって移動しやすくなる。
【０１９３】
さらに、血圧測定装置１は、孔３１ｃの第１開口端３１ｄに、フィルタ３７を有している。この為、孔３１ｃ内に水が浸入した場合であっても、フィルタ３７によって、水がケース１１内に浸入することを抑制できる。この為、血圧測定装置１の防水性を向上できる。
【０１９４】
上述したように本実施形態に係る血圧測定装置１によれば、ケース１１を薄型化できる。
【０１９５】
なお、上述した例では、外郭ケース３１は、一例として円筒状に構成された例が説明されたがこれに限定されない。外郭ケース３１は、例えば、矩形の筒状に構成されてもよい。
【０１９６】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１９７】
１…血圧測定装置
３…装置本体
４…ベルト
５…カーラ
５ａ…カバー部
５ｂ…逃げ部
５ｄ…インサート部材
６…カフ構造体
７…流体回路
７ａ…第１流路
７ｂ…第２流路
７ｃ…第３流路
７ｄ…第４流路
８…給電部
１１…ケース
１１ａ…取付部
１２…表示部
１３…操作部
１４…ポンプ
１４ａ…辺
１４ｂ…辺
１４ｃ…面
１４ｄ…吸い込み孔
１４ｄ１…第１吸い込み孔
１４ｄ２…第２吸い込み孔
１４ｄ３…第３吸い込み孔
１５…流路部
１６…開閉弁
１６Ａ…第１開閉弁
１６Ｂ…第２開閉弁
１６Ｃ…第３開閉弁
１６Ｄ…第４開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３１ｃ…孔
３１ｄ…第１開口端
３１ｅ…第２開口端
３１ｆ…外周面
３１ｈ…面取り部
３２…風防
３３…基部
３５…裏カバー
３５ａ…第１締結部材
３５ｂ…第２締結部材
３６…シール部材
３７…フィルタ
３８…両面テープ
３９…支持板
４１…釦
４２…センサ
４３…タッチパネル
５１…基板
５２…加速度センサ
５３…通信部
５４…記憶部
５５…制御部
５６…メインＣＰＵ
５７…サブＣＰＵ
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…押圧カフ
７２…背板
７２ａ…溝
７３…センシングカフ
７４…引張カフ
７６…袋状カバー体
８１…空気袋
８４…接続部
８６…シート部材
８６ａ…第１シート部材
８６ｂ…第２シート部材
８６ｂ１…開口
８６ｃ…第３シート部材
８６ｃ１…開口
８６ｄ…第４シート部材
９１…空気袋
９２…流路体
９３…接続部
９６…シート部材
９６ａ…第５シート部材
９６ｂ…第６シート部材
９９…接合片
１０１…空気袋
１０３…接続部
１０６…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
２００…手首
２１０…動脈
【図１】
2020103637.tif 000003
【図２】
2020103637.tif 000004
【図３】
2020103637.tif 000005
【図４】
2020103637.tif 000006
【図５】
2020103637.tif 000007
【図６】
2020103637.tif 000008
【図７】
2020103637.tif 000009
【図８】
2020103637.tif 000010
【図９】
2020103637.tif 000011
【図１０】
2020103637.tif 000012
【図１１】
2020103637.tif 000013
【図１２】
2020103637.tif 000014
【図１３】
2020103637.tif 000015
【図１４】
2020103637.tif 000016
【図１５】
2020103637.tif 000017
【図１６】
2020103637.tif 000018
【図１７】
2020103637.tif 000019
【図１８】
2020103637.tif 000020
【図１９】
2020103637.tif 000021
【図２０】
2020103637.tif 000022
【図２１】
2020103637.tif 000023
【図２２】
2020103637.tif 000024
【図２３】
2020103637.tif 000025
【図２４】
2020103637.tif 000026
【図２５】
2020103637.tif 000027
【図２６】
2020103637.tif 000028
【図２７】
2020103637.tif 000029
【図２８】
2020103637.tif 000030
【図２９】
2020103637.tif 000031
【図３０】
2020103637.tif 000032
【図３１】
2020103637.tif 000033